(57)【要約】      （修正有）【課題】引出しに収納した収納物の外部への飛び出し、或いは、引出し後方への落下を防止するとともに、引出しの開閉を円滑に行うことができる引き出し用カバーシートを提供する。【解決の手段】引出し用カバーシート３は、タンスや机などの収納庫１に設けた引出し２に収納した収納物の飛び出しを防止するように、引出しの開口側を覆うように設けられる。引出しの上部開口側、底面側、或いは、開口側上方に位置する収納庫の天板１ａにガイド部４を設け、カバーシートはガイド部に案内されて引出しの上部開口側に前後または左右にスライド自在に設けてもよい。また引出しの奥側にカバーシートの一端を固定し、この固定部を支点として前記カバーシートを回転させて引出しの上部開口側を開閉するのが好ましい。【選択図】図１
0003192653.tif 000002
【実用新案登録請求の範囲】
【請求項１】
タンスや机などの収納庫に設けた引出しに収納した収納物の飛び出しを防止するカバーシートであって、
前記カバシートは、前記引出しの開口側を覆うように設けられた引出し用カバーシート。
【請求項２】
引出しの上部開口側、底面側、或いは、前記引出しの開口側上方に位置する収納庫の天板にガイド部を設け、カバーシートは前記ガイド部に案内されて前記引出しの上部開口側に前後または左右にスライド自在に設ける請求項１に記載の引出し用カバーシート。
【請求項３】
引出しの奥側にカバーシートの一端を固定し、この固定部を支点として前記カバーシートを回転させて前記引出しの上部開口側を開閉する請求項１に記載の引出し用カバーシート。
【請求項４】
カバーシートは、引出しに収納した収納物を目視可能に透明のシートにより構成した請求項１乃至３のいずれかに記載の引出し用カバーシート。
【請求項５】
引出しの前方側に対応するカバーシートの端部を略Ｌ字状に形成した請求項１乃至４のいずれかに記載の引出し用カバーシート。
【考案の詳細な説明】
【技術分野】
【０００１】  本考案は、タンスや机などの収納庫に設けた引出しに収納した収納物の外部への飛び出しや、収納物の挟まりを防止する引出し用カバーシートに関するものである。
【背景技術】
【０００２】  タンスや机などの収納庫に設けられた引出しには、衣類や書類等が収納或いは保管されている。
【考案の概要】
【考案が解決しようとする課題】
【０００３】  収納庫の引出しに衣類や書類等の収納物を収納する際、これらの収納物を多めに入れた場合、或いは、嵩張る収納物を入れた場合には、引出しを閉める際に、手前側の収納物が手前にはみ出すことがあり、この収納物を押し込まなければならない不便があった。また、ほぼ満杯状態の引出し内に書類や小物を収納した場合、最上部の書類等が、慣性力等によって引出しの後方にずれ落ちてしまい、引出しを取り出さなければ回収できない不都合があった。さらには、引出しを引き出す際に、収納物が引出し天井部に引っ掛かり、引出しを引き出すことが困難となることがあった。【０００４】  本考案が解決しようとする課題は、引出しに収納した収納物の外部への飛び出し、或いは、引出し後方への落下を防止するとともに、引出しの開閉を円滑に行うことができる引出し用カバーシートを提供することにある。
【課題を解決するための手段】
【０００５】  そこで、本考案による引出し用カバーシートは、タンスや机などの収納庫に設けた引出しに収納した収納物の飛び出しを防止するカバーシートであって、前記カバーシートは前記引出しの開口側を覆うように設けることを要旨としている。【０００６】  また、引出しの上部開口側、底面側、或いは、前記引出しの開口側上方に位置する収納庫の天板にガイド部を設け、カバーシートは、前記ガイド部に案内されて前記引出しの上部開口側に前後または左右にスライド自在に設けられる。【０００７】  さらに、引出しの奥側にカバーシートの一端を固定し、この固定部を支点として前記カバーシートを回転させて前記引出しの上部開口側を開閉することが望ましい。【０００８】  また、カバーシートは、引き出しに収納した収納物を目視可能に透明のシートにより構成することが望ましい。【０００９】  また、引出しの前方側に対応するカバーシートの端部を略Ｌ字状に形成することが望ましい。
【考案の効果】
【００１０】  本考案によれば、引出しの開口側を覆うように引出し用カバーシートを設けることによって、引出しに収納した収納物の飛び出し、或いは、引出し後方への落下を防止するとともに、引出しの開閉を円滑に行うことができる。【００１１】  また、引き出しの内部や収納庫の天板にガイド部を設けることにより、カバーシートがガイド部に案内されるので、カバーシートを前後または左右への自在にスライドさせることができ、収納物の出し入れが容易になる。【００１２】  カバーシートを透明のシートにより構成することにより、引き出しに収納した収納物をカバーシートで覆った状態でも目視によって確認することが可能となる。【００１３】  引出しの前方側に対応するカバーシートの端部を略Ｌ字状に形成することによって、Ｌ字状の部分に手をかけることにより、カバーシーのスライド操作を容易にすることが可能となる。また、Ｌ字状の部分が衣類等に掛かることにより、カバーシートの不要な移動を阻止することが可能となる。
【図面の簡単な説明】
【００１４】
【図１】本考案の引出し用カバーシートの第１の実施例を示す断面図である。
【図２】本考案の引出し用カバーシートの第２の実施例を示す断面図である。
【図３】図２におけるカバーシートを示す斜視図である。
【図４】本考案の引出し用カバーシートの第３の実施例を示す断面図である。
【図５】図４におけるカバーシートの彎曲ガイド部を示す斜視図である。
【図６】本考案の引出し用カバーシートの第４の実施例を示す断面図である。
【図７】図６におけるカバーシートの彎曲ガイド部を示す斜視図である。
【図８】本考案の引出し用カバーシートの第５の実施例を示す斜視図である。
【図９】図８におけるカバーシートの彎曲ガイド部を示す斜視図である。
【図１０】本考案の引出し用カバーシートの第６の実施例を示す断面図である
【図１１】図１０におけるカバーシートを引き出しに設置した状態を示す斜視図である。
【図１２】本考案の引出し用カバーシートの第７の実施例を示す断面図である。
【図１３】本考案の引出し用カバーシートの第８の実施例を示す断面図である。
【図１４】本考案の引出し用カバーシートの第９の実施例を示す断面図である。
【図１５】図１４におけるカバーシートのスライド状態を示す斜視図である。
【図１６】本考案の引出し用カバーシートの第１０の実施例を示す斜視図である。
【図１７】本考案の引出し用カバーシートの第１１の実施例を示す斜視図である。
【図１８】本考案の引出し用カバーシートの第１２の実施例を示す斜視図である。
【図１９】図１８におけるカバーシートのスライド状態を示す斜視図である。
【図２０】本考案の引出し用カバーシートの第１３の実施例を示す斜視図である。
【考案を実施するための形態】
【００１５】  引出し用カバーシートは、タンスや机などの収納庫に設けた引出しに収納した収納物の飛び出しを防止するカバーシートであって、前記カバーシートは、前記引出しの開口側を覆うように設けられる。
【００１６】  以下、図面に基づいて本考案の実施例を詳細に説明する。図１は、本考案に関わる引出し用カバーシートの第１の実施例を示している。タンスや机などの一般に周知の収納庫１には、上下に複数段の引出し２が出し入れ自在に設けられている。これらの引出し２の内部には、図示しない衣類や書類等の収納物が収納される。また、収納庫１には、上下の引出し２を分離する天板１ａが設けられている。また、引出し２は一般に周知のように、前板２ａ、左右の側板２ｂ、，後板２ｃ、及び底板２ｄ，によって四角形状に構成されている。そして、開口側にはカバーシート３によっておおわれている。
【００１７】  カバーシート３は、横方向が引出し２よりもやや小さく、奥行き方向が、引出し２の奥行き長さよりもやや大きく形成されている。このカバーシート３は、プラスチック製または紙製であって、可撓性を有する四角形の平板によって形成されている。一方、引出し２の図示左方の前方には、幅方向に凹溝２ｅが形成され、この凹溝２ｅに嵌合させるように、カバーシート３の前方端には、円柱材３ａが取り付けられている。なお、カバーシート３は、透明なプラスチックを使用することが好ましく、透明にすることによって、引出し２内に収納した衣類や書類等の収納物を確認することができる。
【００１８】  また、収納庫１の天板１ａには、カバーシート３の両側を案内するためのガイド部４が設けられている。カバーシート３は、ガイド部４に両側を案内支持されて引出し２の上部開口側を前後方向に自在にスライドすることができる。
【００１９】  次に、上述した第１の実施例の引出し用カバーシートの操作方法について説明する。
まず、引出し２に衣類や書類等の収納物を収納するときは、カバーシート３を図示右方に押し込むと、ガイド部４に案内されてスライドし、引出し２の開口側が解放され、収納物を収納する。収納後には、カバーシート３を図示左方に引き出すことにより、ガイド部４に案内されてスライドされ、前方端の円柱材３ａを引出し２の凹溝２ｅに嵌合させる。これにより、引出し２の開口側がカバーシート３によって覆われる。このように、引出し２をカバーシート３によって覆うことにより、引出し２の収納物は、引出し２からの飛び出し、或いは、引出し２の後方への落下を防止することができる。また、數納物を多めに入れた場合、あるいは、嵩張る収納物を入れた場合であっても、カバーシート３のよって覆われているので、引出し２を閉める際に、手前側の収納物が引出し２の手前にはみ出すことがなく、しかも、引出しの開閉を円滑に行うことができる。
【００２０】  図２は、本考案に関わる引出し用カバーシートの第２の実施例を示している。上述した第２の実施例と実質的に同様の構成であるが、相違する点は、カバーシート３の前方端にＬ字型の取っ手部３ｂを設けるとともに、後方端をＬ字状に屈曲したことである。さらに、カバーシート３の前方端近傍には、図３に示すように、左右一対の透孔３ｃが形成されている。なお、この透孔３ｃを省略しても良い。
【００２１】  このように構成した第２の実施例の引出し用のカバーシートにおける操作方法は、前述した第１の実施例と同様であるが、カバーシート３の幅を引出し２の幅とほぼ同じに設定していることから、カバーシート３は引出し２の左右の側板２ｂの上面に載置され、収納庫１の側板内面によって規制されることにより案内されてスライドする。引出し２の開口側をカバーシート３によって覆い、前方端にＬ字型の取っ手部３ｂを引出し２の前板２ａの内面に当接することにより、引出し２内の収納物は、引出し２からの飛び出しを防止することができる。さらに、後方端をＬ字状に屈強しているので、引出し２内の収納物が引出し２の後方へ落下することを防止することができる。
【００２２】  図４は、本考案に関わる引出し用カバーシートの第３の実施例を示している。上述した第２の実施例と相違する点は、カバーシート３をカーリングさせてスライドするように構成したことである。即ち、引出し２の底板２ｄにはカバーシート３を収納するための収納ケース４が取り付けられ、この収納ケース４の後面側を彎曲させて後板２ｃの内面に立ち上がらせている。収納ケース４の幅は、引出し２の内面の幅とほぼ同じになっている。さらに、収納ケース４は、図４に示すように、内部が空洞に形成されていて、カバーシート３を自在に出し入れできるようになっている。カバーシート３の前方端には、Ｌ字型の取っ手部３ｂが設けられている。
【００２３】このように構成した第３の実施例の引出し用カバーシートにおける操作方法を説明する。収納物は引出し２内の収納ケース４の上に置く。その後、カバーシート３をカーリングさせながら収納ケース４から引き出して引出し２の開口側をカバーシート３によって覆う。そして、取って部３ｂを引出し２の前板２ａの内面に当接することにより、引出し２内の収納物は、引出し２からの飛び出しを防止することができる。さらにカバーシート３の後方端は、収納ケース４内の空洞内に残存しているので、引出し２内の収納物が引出し２の後方へ落下することを防止することができる。
【００２４】  図６は、本考案に関わる引出し用カバーシートの第４の実施例を示している。実質的には、上述した第３の実施例と実質的に同様であるが、相違する点は、引出し２の底板２ｂに取り付けられる収納ケース４を第３の実施例とは逆に取り付けたことである。即ち、収納ケース４は、図７に示すように、両側が略コ字状に形成され、引出し２の底板２ｄに取り付けることにより内部が空洞に形成され、カバーシート３を自在に出し入れできるようになっている。また、第３の実施例と同様に、収納ケース４の幅は、引出し２の内面の幅とほぼ同じになっている。
【００２５】  このように構成した第４の実施例の引出し用カバーシートにおける操作方法は、第３の実施例と同様であり、収納物を引出し２内の収納ケース４の上に置いた後カバーシート３をカーリングさせながら収納ケース４から引き出して引出し２の開口側をカバーシート３によって覆う。これにより、引出し２内の収納物は、引出し２からの飛び出しを防止することができる。なお、引出し２内の収納物が引出し２の後方へ落下することを防止する為には、カバーシート３の先端を引出し２の後板２ｃまで引出し、収納物との間に差し込むことが望ましい。
【００２６】  図８は、本考案に関わる引出し用カバーシートの第５の実施例を示している。引出し２の開口側に対応する収納庫の天板１ａには、下方が解放された略Ｃ字状のガイド部６が、引出し方向と逆になるように固定されている。一方、カバーシート３の上面には、ガイド部６に対応するように、逆Ｔ字状のスライドバー７が設けられている。このスライドバー７はガイド部６にスライド自在に挿入され、カバーシート３はガイド部６に案内されて前後方向に移動する。また、カバーシート３の前方側には、取って部３ｂが設けられている。
【００２７】  このように構成した第５の実施例の引出し用カバーシートにおける操作方法を説明する。収納物を引出し２内に収納した後、カバーシート３を引きだす。このとき、カバーシート３は、ガイド部６に案内されて前方向に移動して、引出し２の開口側をカバーシート３によって覆う。この結果、引出し２内の収納物は、引出し２からの飛び出しを防止することができる。
【００２８】  なお、カバーシート３は、引出し２の奥行きの長さに合わせる必要がある。このため、図８に示す点線のように、所定の長さで切断することが望ましい。
【００２９】  図９は、上述した第５の実施例の変形例を示している。この例は、複数のカバーシート３と、これに対応する複数のガイド部６を設けたものである。例えば、横幅が大きい引出し２の場合は、一枚のカバーシート３では両側が変形してしまい、引出し２内の収納の一部が覆われない不都合が生じる。この時、図９に示すように、カバーシート３とガイド部６を２組設け、さらに、カバーシート３の片側を重ねる様に配置することにより、引出し２の開口側を均一に覆うことが可能となる。また、引出し２内の収納のうち、片側の収納物をここに出し入れする際にも好適である。
【００３０】  図１０及び図１１は、本考案に関わる引出し用カバーシートの第６の実施例を示している。引出し２の前板２ａの内面上方には、Ｕ字状のガイド部８の開口側を上方に向けて横方向に固定されている。一方、カバーシート３の前方はＬ字状に屈曲している。そして、この屈曲部分をガイド部８にスライド自在に嵌合させている。カバーシート３は２枚１組で構成され、個々のカバーシート３の幅は、引出し２の横幅の１／２よりも大きい寸法に設定され、図示の様に、一部が重なり合うようになっている。また、２枚のカバーシート３の奥行き方向の長さは、引出し２の長さと同じかやや長く設定され、カバーシート３の後方が引出し２の後板２ｃの上面に載置するようにしている。さらに、２枚のカバーシート３を横方向へスライドするとき、穴３ｆに指を入れることによりスライド操作が容易になる。
【００３１】  このように，構成した第６の実施例の引出し用カバーシートにおける操作方法を説明する。まず、収納物を引出し２内に収納するときは、一方のカバーシート３を横方向にスライドさせて収納する。その後、カバーシート３を逆方向にスライドさせることにより、引出し２の開口側が覆われる。この結果、引出し２内の収納物は、引出し２からの飛び出しを防止することができる。
【００３２】  図１２は、本考案に関わる引出し用カバーシートの第７の実施例を示している。引出し２の両側上方には、カバーシート３が左右方向にスライド自在に嵌合する溝９が形成されている。一方、カバーシート３は平坦に形成され、引出し２の開口側全面を覆う形状になっている。さらに、カバーシート３には、穴３ｆが形成されている。
【００３３】  このように構成した第７の実施例の引出し用カバーシートにおける操作方法を説明する。まず、収納物を引出し２内に収納するときは、カバーシート３を奥方向にスライドさせて収納する。その後、カバーシート３を前方向にスライドさせることにより、引出し２の開口側が覆われる。この結果、引出し２内の収納物は、引出し２からの飛び出しを防止することができる。
【００３４】  図１３は、本考案に関わる引出し用カバーシートの第８の実施例を示している、この第８の実施例は、実質的には、上述した第７の実施例と実質的に同様の構成であるが、相違する点は、引出し２の両側の内側上方に、略Ｕ字状のガイド部１０を固定したことである。その他、カバーシート３を平坦に形成し、引出し２の開口側全面を覆う形状になっていること、及び、カバーシート３に穴３ｆを形成していることは、第７の実施例と同様である。さらに、操作法についても、カバーシート３を奥方向にスライドさせて収納物を収納した後、カバーシート３を前方向にスライドさせて引出し２の開口側を覆い、これにより、引出し２内の収納物の飛び出しを防止することができることも同様である。
【００３５】  図１４及び、図１５は、本考案に関わる引出し用カバーシートの第９の実施例を示している。引出し２の前板２ａの内側上方には、内面から離間してバー１１が設けられている。このバー１１の両端は、側板２ｂに各々固定されている。一方、カバーシート３は、前板２ａの内面とバー１１との間に挿通されている。カバーシート３は、横幅を両前板２ａの内面間の寸法にほぼ等しく、奥行き寸法は、引出し２の奥行き寸法にほぼ等しく設定されている。
【００３６】  このように構成した第９の実施例の引出し用カバーシートにおける操作方法を説明する。まず、収納物を引出し２内に収納するときは、カバーシート３を前板２ａの内面とバー１１との間を挿通させながら引出し２の底板２ｄに押し込む。収納物を引出し２内に収納した後、カバーシート３を前板２ａの内面とバー１１との間から引き出し、引出し２の開口側を覆う。この結果、引出し２内の収納物は、引出し２内の収納物は、引出し２からの飛び出しを防止することができる。
【００３７】  図１６は、本考案に関わる引出し用カバーシートの第１０の実施例を示している。引出し２の前板２ａの内面上方には、Ｕ字状のガイド部８の開口側を上方に向けて幅方向に固定されている。一方、カバーシートは、横幅を引出し２の横幅の半分もしくはやや大きく設定して左右方向にスライドする第１のカバーシート１２と、やはり、横幅を引出し２の横幅の半分もしくはやや大きく設定して前後方向にスライドする第２のカバーシート１３によって構成されている。第１のカバーシート１２は、前述した第８の実施例と同様であり、詳細な説明は省略する。第２のカバーシート１３は、引出し２の奥側がすだれ状に形成され、引出し２の後板２ｃに設けた巻き取り装置１４に巻き取られる。この第２のカバーシート１３については、後述する第１０の実質的において詳細に説明する。また、第１のカバーシート１２の操作方法については、前述した第８の実施例と同様である。
【００３８】  図１７は、本考案に関わる引出し用カバーシートの第１１の実施例を示している。カバーシート１５は、引出し２の奥側がすだれ状に形成され、引出し２の後板２ｃの内面に設けた巻き取り装置１４に巻き取られるように構成されている。カバーシート１５のすだれ状部１５ａは、複数条の屈曲可能な折り目が平行に形成され、図示の様に、織り目が屈曲することにより、巻き取り装置１４に巻かれる。なお、すだれ状部１５ａは、カバーシート１５と同じ素材の板状シートを細長い短冊状に形成し、この短冊を複数個紐などの連結具によって連結して形成しても良い。一方、巻き取り装置１４は、筒状に形成され、内部にはカバーシート１５の巻き取り方向に回転付勢するコイルばねを配設し、カバーシート１５を引出し２の後板２ｃに押圧したときに、筒状部に巻き付ける様にこうせいされている。なお、コイルばねの巻き取り方向への回転付勢力は、通常の状態ではカバーシート１５が移動せず、押圧したときのみ筒状部に巻き付けられるように設定することが望ましい。
【００３９】  このように構成した第１１の実施例の引出し用カバーシートにおける操作方法を説明するまず、収納物を引出し２内に収納するときは、カバーシート１５を引出し２の後板２ｃに押圧して、すだれ状部１５ａを巻き取り装置１４に巻きつける。その後、収納物を引出し２内に収納した後、カバーシート１５の前板２内に収納した後、カバーシート１５の前方を前板２ａの内面まで引出し、引出し２の開口側を覆う。この結果、引出し２内の収納物は、引出し２からの飛び出しを防止することができる。
【００４０】  図１８及び、図１９は、本考案に関わる引出し用カバーシートの第１２の実施例を示している。図示の収納庫は、ポリプロピレン等のプラスチック製の引出し収納ケースにおける引出し１６を示している。引出し１６には、前述した引出し２と同様に、前板１６ａ、左右の側板１６ｃ及び、底板１６ｄによって四角形状に構成されている。そして、図示後方の後板１６ｃには、スリット１６ｅが上端と平行に形成されている。一方、カバーシート３は、平面状に形成され、後方側をスリット１６ｅに挿通させている。また、カバーシート３の前方側は、Ｌ字状に屈曲形成され、前板１６ａの上端面に掛かるように形成されている。なお、カバーシート３の前方側は、図１９に示すように平坦の状態であっても良い。
【００４１】  この第１２の実施例において、カバーシート３を前後にスライドさせると、後方側がスリット１６ｅを出入りして、引出し２の開口側を開口または覆うことができる。
【００４２】  図２０は、本考案に関わる引出し用カバーシートの第１３の実施例を示している。カバーシート３は、後方側が、Ｌ字状に屈曲形成され、引出し２の後板２ｃ内面に固着されている。さらに、カバーシート３の前方側は、図２に示した第２の施例と同様にカバーシート３の前方端にＬ字型の取っ手部３ｂが設けられている。また、図２０に示すカバーシート３は、弾性を有し、常時は、平坦な形状を維持する習性を有し、図示の様に屈曲することができる。一方、収納庫１の構成は、図１や図２に示した収納庫１と同じであり、その詳細な説明は、省略する
【００４３】  このように構成した第１３の実施例の引出し用カバーシートにおいて、収納物を引出し２内に収納するときは、カバーシート３を図示のように持ち上げ、引出し２の開口側を解放させて収納する。その後、カバーシート３から手を離すなどにより解放すると、引出し２の開口側が覆われる。この結果、引出し２内の収納物は、引出し２からの飛び出しを防止することができる。
【００４４】  以上、本考案を実施例に基づき具体的に説明したが、本考案は、上記実施例に限定されるものでなく、その要旨を逸脱しない範囲で種々変形可能であることは言うまでもない。前述した実施例において収納庫は一例であり、机やキャビネット等の各種の引出しを有する収納庫に適用しても良い。また、カバーシートを網状或いは波状に変形しても良い。
【符号の説明】
【００４５】１      収納庫
１ａ    天板
２      引出し
３      カバーシート
３ｂ    Ｌ字型の取っ手部
【図１】
0003192653.tif 000003
【図２】
0003192653.tif 000004
【図３】
0003192653.tif 000005
【図４】
0003192653.tif 000006
【図５】
0003192653.tif 000007
【図６】
0003192653.tif 000008
【図７】
0003192653.tif 000009
【図８】
0003192653.tif 000010
【図９】
0003192653.tif 000011
【図１０】
0003192653.tif 000012
【図１１】
0003192653.tif 000013
【図１２】
0003192653.tif 000014
【図１３】
0003192653.tif 000015
【図１４】
0003192653.tif 000016
【図１５】
0003192653.tif 000017
【図１６】
0003192653.tif 000018
【図１７】
0003192653.tif 000019
【図１８】
0003192653.tif 000020
【図１９】
0003192653.tif 000021
【図２０】
0003192653.tif 000022